(57)【要約】【課題】  紙のムダを省きつつ他のチラシとの差別化を図り、チラシの着眼率を上げることが可能な折畳みチラシを提供する。【解決手段】  利用者は、新聞等に折り込まれた多数のチラシの中から、インデックス１１により、折畳みチラシ１０を容易に見つけることができる（ａ）。取り出された１面がＢ４サイズの折畳みチラシ１０は（ｂ）、折り線Ａを開くことにより（ｃ）（ｄ）、Ｂ３サイズとされ（ｅ）、折り線Ｂを開くことにより（ｆ）（ｇ）、Ｂ２サイズとされた後（ｈ）、通常のチラシとして読むことができる。【選択図】  図１
2005138298.tif 000002
【特許請求の範囲】
【請求項１】
折り線を介して隣接する複数の印刷紙片を有し、前記印刷紙片内において、前記折り線に接続した切り込みが設けられたチラシ印刷シートについて、前記折り線を折り畳むことにより、前記切り込みにより形成される部分が他の前記印刷紙片の外周よりも外側に位置するようにしたことを特徴とする折畳みチラシ。
【発明の詳細な説明】
【技術分野】
【０００１】
本発明は、新聞等に折り込まれて各家庭に配達される折込みチラシに関する。
【背景技術】
【０００２】
従来より、商品を宣伝・広告するための広告用チラシは、新聞折込みが大半で、その他通信販売のカタログ等送付物に同梱されるケースがあるが、いずれも主体となる新聞、カタログ等のサイズと同等またはそれより一回り小さく作製されたり、折り畳まれて他の多種のチラシと一緒に同梱される。
【発明の開示】
【発明が解決しようとする課題】
【０００３】
上述のように、多種のチラシと同梱されるため、広告主においては、ほぼ同サイズに重なり合ったチラシから自社のチラシを手にとってもらうため目立たせることができず、広告効率は必ずしも十分ではなかった。また、生活者においても毎週定期的に折り込まれ、利用しているチラシであっても順番にチラシをめくっていかないと目当てのチラシを見つけることができないなど利便性においても問題があった。
【０００４】
生活者の興味を持たせ、折込チラシを長く生活者の手元に留める方法として、チラシに切込みを入れ予め紙面に印刷されたカレンダーを露出させるチラシが提案されているが（例えば、特許文献１参照）、広告情報を掲載できる貴重な紙面の一部をカレンダーに割り当てないとならない課題があった。
【特許文献１】特許第２８３５４２８号公報
【０００５】
上記のような点に鑑み、本発明は、紙のムダを省きつつ他のチラシとの差別化を図り、チラシの着眼率を上げることが可能な折畳みチラシを提供することを課題とする。
【課題を解決するための手段】
【０００６】
上記課題を解決するため、本発明では、折畳みチラシを、折り線を介して隣接する複数の印刷紙片を有し、前記印刷紙片内において、前記折り線に接続した切り込みが設けられたチラシ印刷シートについて、前記折り線を折り畳んむことにより、前記切り込みにより形成される部分が他の前記印刷紙片の外周よりも外側に位置するようにした構成とすることを特徴とする。
【発明の効果】
【０００７】
本発明の折畳みチラシによれば、あらかじめ折り線に接続する位置に切り込みが形成され、折り線で折り畳むことにより、切り込みにより切り込まれた部分が折畳む際に飛び出るようにしたので、紙のムダを省きつつ他のチラシとの差別化を図り、チラシの着眼率を上げることが可能となるという効果を奏する。
【発明を実施するための最良の形態】
【０００８】
以下、本発明の好適な実施形態について図面を参照して詳細に説明する。
（第１の実施形態）
図１に本発明第１の実施形態に係る折畳みチラシ１０を示す。図１（ａ）は、折畳みチラシ１０を他のチラシと重ね合わせた状態を示す図である。図１（ａ）に示すように、本発明の折畳みチラシ１０が、他のチラシの下に隠れた状態となっても折畳みチラシ１０の飛び出た部分がインデックス１１として見える状態となっているので、容易に発見することができる。したがって、新聞等の購読者は、インデックス１１を見つけることにより、他のチラシに先駆けて、この折畳みチラシ１０を取り出すことができる。図１（ｂ）は、折畳みチラシ１０を折り畳んだ状態の平面図である。折畳みチラシ１０は、図１（ｂ）に折り畳まれた状態で、図１（ａ）に示すように他のチラシと重ね合わされて新聞等に折り込まれている。折畳みチラシ１０のサイズについては、特に限定はないが、図１（ｂ）に示したように折り畳んだ状態でＢ４サイズとすることが望ましい。折畳みチラシ１０は、上述のようにインデックス１１の存在により、新聞等に折り込まれても、他のチラシに比べて目立つことになる。折畳みチラシ１０を取り出した後、折り線Ａから、図１（ｃ）、（ｄ）に示すように開いて図１（ｅ）に示すようなＢ３サイズに展開する。続いて、折り線Ｂから、図１（ｆ）、（ｇ）に示すように開いて図１（ｈ）に示すようなＢ２サイズに展開する。
【０００９】
上記の例では、折畳みチラシ１０を利用者の立場から説明したが、折畳みチラシ１０を製造する場合には、まず、Ｂ２サイズの所定の用紙に広告の内容を印刷した後、インデックス部の切り込み加工を行う。この印刷および切り込み加工は、従来周知の印刷機および加工機により行うことができる。ただし、切り込み加工の位置合わせは、所定の位置に行う必要がある。この結果、図１（ｈ）に示すようなチラシ印刷シートができあがる。次に、折り線Ｂから、図１（ｇ）、（ｆ）に示すように折り畳んで図１（ｅ）に示すようなＢ３サイズにする。続いて、折り線Ａから、図１（ｄ）、（ｃ）に示すように折り畳んで図１（ｂ）に示すようなＢ４サイズにする。そして、できあがった折畳みチラシ１０を新聞に折り込む。
【００１０】
（第２の実施形態）
続いて、第２の実施形態について説明する。図２に本発明第２の実施形態に係る折畳みチラシ２０を示す。図２（ａ）は、折畳みチラシ２０を展開した状態を示す図である。図２（ａ）に示すようなチラシ印刷シートは、第１の実施形態と同様、Ｂ２サイズの所定の用紙に広告の内容を印刷した後、インデックス２１の切り込み加工を行うことにより行われる。図２（ａ）に示すような切り込みＤを有するチラシ印刷シートについて、まず、折り線Ｅについて山折りし、図２（ｂ）、（ｃ）に示すように折り畳んで図２（ｃ）に示すようなＢ３サイズにする。続いて、折り線Ｆについて山折りし、図２（ｄ）、（ｅ）に示すように折り畳んで図２（ｅ）に示すようなＢ４サイズにする。そして、できあがった折畳みチラシ２０を新聞に折り込む。折畳みチラシ２０は、切り込みＤにより形成されたインデックス２１により、他のチラシに比べて目立つことになる。
【００１１】
（第３の実施形態）
上記第１、第２の実施形態においては、チラシ印刷シートを２回折り畳んで面積を１／４とした状態の折畳みチラシを作成する場合について説明したが、チラシ印刷シートを１回だけ折り畳んで面積を１／２とした状態の折畳みチラシを作成することもできる。次に、このような場合について説明する。図３に本発明第３の実施形態に係る折畳みチラシ３０を示す。図３（ａ）は、折畳みチラシ３０を展開した状態を示す図である。図３（ａ）に示すようなチラシ印刷シートは、第１、第２の実施形態とは異なり、Ｂ３サイズとなっている。Ｂ３サイズの用紙に広告の内容を印刷した後、インデックス部の切り込み加工を行うことにより図３（ａ）に示すチラシ印刷シートが得られることになる。図３（ａ）に示すような切り込みＧを有するチラシ印刷シートについて、折り線Ｈについて谷折りし、図３（ｂ）、（ｃ）に示すように折り畳んで図３（ｃ）に示すようなＢ４サイズにする。そして、できあがった折畳みチラシ３０を新聞に折り込む。折畳みチラシ３０は、切り込みＧにより形成されたインデックス３１により、他のチラシに比べて目立つことになる。
【００１２】
（第４の実施形態）
図４に本発明第４の実施形態に係る折畳みチラシ４０を示す。図４（ａ）は、折畳みチラシ４０を展開した状態を示す図である。図４（ａ）に示すようなチラシ印刷シートも、第３の実施形態と同様、Ｂ３サイズとなっている。Ｂ３サイズの用紙に広告の内容を印刷した後、インデックス部の切り込み加工を行うことにより図４（ａ）に示すチラシ印刷シートが得られることになる。図４（ａ）に示すような切り込みＩを有するチラシ印刷シートについて、折り線Ｊについて谷折りし、図４（ｂ）、（ｃ）に示すように折り畳んで図４（ｃ）に示すようなＢ４サイズにする。そして、できあがった折畳みチラシ４０を新聞に折り込む。折畳みチラシ４０は、切り込みＩにより形成されたインデックス４１により、他のチラシに比べて目立つことになる。
【００１３】
以上、本発明の好適な実施形態について説明したが、本発明は上記実施形態に限定されず、種々の変形が可能である。例えば、インデックスを形成するための切り込みの形状や大きさ、場所は、チラシのデザインに応じて適宜変更することができる。また、新聞折込チラシの場合は、インデックスを含めた全体の仕上り寸法が、新聞の折畳みサイズより小さいことが前提となる。
【図面の簡単な説明】
【００１４】
【図１】本発明第１の実施形態に係る折畳みチラシ１０を示す図である。
【図２】本発明第２の実施形態に係る折畳みチラシ２０を示す図である。
【図３】本発明第３の実施形態に係る折畳みチラシ３０を示す図である。
【図４】本発明第４の実施形態に係る折畳みチラシ４０を示す図である。
【符号の説明】
【００１５】
１０、２０、３０、４０・・・折畳みチラシ
１１、２１、３１、４１・・・インデックス
Ｃ、Ｄ、Ｆ、Ｇ、Ｉ・・・切り込み
Ａ、Ｂ、Ｅ、Ｈ、Ｊ・・・折り線
【図１】
2005138298.tif 000003
【図２】
2005138298.tif 000004
【図３】
2005138298.tif 000005
【図４】
2005138298.tif 000006